【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することと、
前記現在サブフレームの後にくる少なくとも１つの後続サブフレームに前記電力管理動作を持ち越すことと
を備える、ワイヤレス通信のための方法。
【請求項２】
前記電力管理動作を実行することが、
前記現在サブフレーム中に前記第１のアップリンクコンポーネントキャリア上で物理アップリンク制御チャネル（ＰＵＣＣＨ）または物理アップリンク共有チャネル（ＰＵＳＣＨ）のうちの少なくとも１つをスケジュールすることと、
前記第１のアップリンクコンポーネントキャリア上の送信電力を最小保証電力以上に維持することと
を備え、
ここにおいて、前記最小保証電力は、ＰＵＣＣＨ最小保証電力成分およびＰＵＳＣＨ最小保証電力成分のうちの少なくとも１つを備え、ここにおいて、前記ＰＵＣＣＨ最小保証電力成分は、前記ＰＵＳＣＨ最小保証電力成分よりも大きい、
請求項１に記載の方法。
【請求項３】
前記現在サブフレームについて前記電力管理動作を実行することが、
前記現在サブフレームについて、前記第１のアップリンクコンポーネントキャリア上の送信電力を低減された電力にスケーリングすること
を備える、請求項１に記載の方法。
【請求項４】
前記電力管理動作を持ち越すことは、
前記少なくとも１つの後続サブフレームについて、前記第１のアップリンクコンポーネントキャリア上の最大送信電力として、前記低減された電力を使用すること
をさらに備える、請求項３に記載の方法。
【請求項５】
前記少なくとも１つの後続サブフレームが、前記現在サブフレームと後続フレームの境界との間の少なくとも１つのアップリンクサブフレームを備える、請求項４に記載の方法。
【請求項６】
前記現在サブフレームと前記少なくとも１つの後続サブフレームの境界との間のいくつかのアップリンクサブフレームのうちの少なくとも１つについて、前記第１のアップリンクコンポーネントキャリア上の送信をドロップすること
をさらに備える、請求項１または３に記載の方法。
【請求項７】
前記スケーリングすることがしきい値電力低減を上回り、前記方法が、
前記現在サブフレームと前記少なくとも１つの後続サブフレームの境界との間のいくつかのアップリンクサブフレームのうちの少なくとも１つについて、前記第１のアップリンクコンポーネントキャリア上の送信をドロップすること
をさらに備える、請求項３に記載の方法。
【請求項８】
前記電力管理動作を実行することが、
前記現在サブフレームについて、前記第１のアップリンクコンポーネントキャリア上の送信をドロップすること
を備える、請求項１に記載の方法。
【請求項９】
前記共有無線周波数スペクトル帯域のためのクリアチャネルアセスメント（ＣＣＡ）を実行すること、前記ＣＣＡが、前記現在サブフレームの後にくる少なくとも１つの後続アップリンクサブフレームについて実行される、
をさらに備える、請求項８に記載の方法。
【請求項１０】
前記現在サブフレームについて、前記第１のアップリンクコンポーネントキャリアのための第１および第２のアップリンクスケジューリングを受信することと、
前記電力管理動作を実行することまたは前記電力管理動作の状態に少なくとも部分的に基づいて、前記第１のアップリンクスケジューリングまたは前記第２のアップリンクスケジューリングを使用することと
をさらに備える、請求項１に記載の方法。
【請求項１１】
前記現在サブフレームについて、前記第１のアップリンクコンポーネントキャリアのための第１および第２のアップリンクスケジューリングを受信すること
をさらに備え、
ここにおいて、前記電力管理動作を実行することが、
前記現在サブフレームについて、前記第１のアップリンクコンポーネントキャリア上の送信電力を低減された電力にスケーリングすることと、
前記スケーリングすることがしきい値電力低減を上回らないとき、前記第１のアップリンクスケジューリングを使用することと、
前記スケーリングすることが前記しきい値電力低減を上回るとき、前記第２のアップリンクスケジューリングを使用することと
を備える、請求項１に記載の方法。
【請求項１２】
前記複数のコンポーネントキャリアが前記ＵＥのためのキャリアアグリゲーション動作のために構成された、請求項１に記載の方法。
【請求項１３】
前記複数のコンポーネントキャリアが前記ＵＥのためのデュアル接続性動作のために構成された、請求項１に記載の方法。
【請求項１４】
ユーザ機器（ＵＥ）のために構成された複数のコンポーネントキャリアのうちの第１のアップリンクコンポーネントキャリアを識別するための手段と、
前記第１のアップリンクコンポーネントキャリアが共有無線周波数スペクトル帯域上で送信されると決定するための手段と、
前記決定することに少なくとも部分的に基づいて、現在サブフレームについて、前記第１のアップリンクコンポーネントキャリアに対して電力管理動作を実行するための手段と、
前記現在サブフレームの後にくる少なくとも１つの後続サブフレームに前記電力管理動作を持ち越すための手段と
を備える、ワイヤレス通信のための装置。
【請求項１５】
ワイヤレス通信のためのコンピュータ実行可能コードを記憶する非一時的コンピュータ可読媒体であって、前記コードが、請求項１ないし１３のいずれか一項に記載の方法を実行するためにプロセッサによって実行可能である、非一時的コンピュータ可読媒体。
【手続補正２】
【補正対象書類名】明細書
【補正対象項目名】０１７０
【補正方法】変更
【補正の内容】
【０１７０】
[0184]  本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］  ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することとを備える、ワイヤレス通信のための方法。
［Ｃ２］  前記電力管理動作を実行することが、
前記第１のアップリンクコンポーネントキャリア上の送信電力を最小保証電力以上に維持することを備える、Ｃ１に記載の方法。
［Ｃ３］  前記最小保証電力が、前記第１のアップリンクコンポーネントキャリア上で送信されるチャネルタイプまたはアップリンク情報タイプに依存する、Ｃ２に記載の方法。
［Ｃ４］  前記現在サブフレーム中に前記第１のアップリンクコンポーネントキャリア上で物理アップリンク制御チャネル（ＰＵＣＣＨ）または物理アップリンク共有チャネル（ＰＵＳＣＨ）のうちの少なくとも１つをスケジュールすることをさらに備える、Ｃ３に記載の方法。
［Ｃ５］  前記最小保証電力がＰＵＣＣＨ最小保証電力成分およびＰＵＳＣＨ最小保証電力成分のうちの少なくとも１つを備え、ここにおいて、前記ＰＵＣＣＨ最小保証電力成分が前記ＰＵＳＣＨ最小保証電力成分よりも大きい、Ｃ４に記載の方法。
［Ｃ６］  前記電力管理動作を実行することが、
前記現在サブフレームについて、前記第１のアップリンクコンポーネントキャリア上の送信電力を低減された電力にスケーリングすることを備える、Ｃ１に記載の方法。
［Ｃ７］  前記現在サブフレームの後にくる少なくとも１つの後続サブフレームについて、前記第１のアップリンクコンポーネントキャリア上の最大送信電力として、前記低減された電力を使用することをさらに備える、Ｃ６に記載の方法。
［Ｃ８］  前記少なくとも１つの後続サブフレームが、前記現在サブフレームと後続フレームの境界との間の少なくとも１つのアップリンクサブフレームを備える、Ｃ７に記載の方法。
［Ｃ９］  前記現在サブフレームと後続フレームの境界との間のいくつかのアップリンクサブフレームのうちの少なくとも１つについて、前記第１のアップリンクコンポーネントキャリア上の送信をドロップすることをさらに備える、Ｃ６に記載の方法。
［Ｃ１０］  前記スケーリングすることがしきい値電力低減を上回り、前記方法が、
前記現在サブフレームと後続フレームの境界との間のいくつかのアップリンクサブフレームのうちの少なくとも１つについて、前記第１のアップリンクコンポーネントキャリア上の送信をドロップすることをさらに備える、Ｃ６に記載の方法。
［Ｃ１１］  前記電力管理動作を実行することが、
前記現在サブフレームに先行するサブフレーム中に前記第１のアップリンクコンポーネントキャリア上の送信電力を使用すること、前記送信電力が、前記現在サブフレームについて、前記第１のアップリンクコンポーネントキャリア上の最大送信電力である、を備える、Ｃ１に記載の方法。
［Ｃ１２］  前記電力管理動作を実行することが、
前記現在サブフレームについて、前記第１のアップリンクコンポーネントキャリア上の送信をドロップすることを備える、Ｃ１に記載の方法。
［Ｃ１３］  前記現在サブフレームと後続フレームの境界との間のいくつかのアップリンクサブフレームのうちの少なくとも１つについて、前記第１のアップリンクコンポーネントキャリア上の送信をドロップすることをさらに備える、Ｃ１２に記載の方法。
［Ｃ１４］  前記現在サブフレームと後続フレームの境界との間のいくつかのアップリンクサブフレームのうちの少なくとも１つについて、前記第１のアップリンクコンポーネントキャリア上の送信をドロップすることをさらに備える、Ｃ１２に記載の方法。
［Ｃ１５］  前記共有無線周波数スペクトル帯域のためのクリアチャネルアセスメント（ＣＣＡ）を実行すること、前記ＣＣＡが、前記現在サブフレームの後にくる少なくとも１つの後続アップリンクサブフレームについて実行される、をさらに備える、Ｃ１２に記載の方法。
［Ｃ１６］  前記現在サブフレームについて、前記第１のアップリンクコンポーネントキャリアのための第１のアップリンクスケジューリングを受信することと、
前記現在サブフレームについて、前記第１のアップリンクコンポーネントキャリアのための第２のアップリンクスケジューリングを受信することとをさらに備える、Ｃ１に記載の方法。
［Ｃ１７］  前記電力管理動作を実行することに少なくとも部分的に基づいて前記第２のアップリンクスケジューリングを使用することをさらに備える、Ｃ１６に記載の方法。
［Ｃ１８］  前記電力管理動作の状態に少なくとも部分的に基づいて前記第１のアップリンクスケジューリングまたは前記第２のアップリンクスケジューリングを使用することをさらに備える、Ｃ１６に記載の方法。
［Ｃ１９］  前記電力管理動作を実行することが、
前記現在サブフレームについて、前記第１のアップリンクコンポーネントキャリア上の送信電力を低減された電力にスケーリングすることと、
前記スケーリングすることがしきい値電力低減を上回らないとき、前記第１のアップリンクスケジューリングを使用することと、
前記スケーリングすることが前記しきい値電力低減を上回るとき、前記第２のアップリンクスケジューリングを使用することとを備える、Ｃ１６に記載の方法。
［Ｃ２０］  前記複数のコンポーネントキャリアが、前記共有無線周波数スペクトル帯域上で送信される第２のアップリンクコンポーネントキャリアを備える、Ｃ１に記載の方法。
［Ｃ２１］  前記複数のコンポーネントキャリアが、認可無線周波数スペクトル帯域上で送信される第２のアップリンクコンポーネントキャリアを備える、Ｃ１に記載の方法。
［Ｃ２２］  前記複数のコンポーネントキャリアが前記ＵＥのためのキャリアアグリゲーション動作のために構成された、Ｃ１に記載の方法。
［Ｃ２３］  前記複数のコンポーネントキャリアが前記ＵＥのためのデュアル接続性動作のために構成された、Ｃ１に記載の方法。
［Ｃ２４］  ユーザ機器（ＵＥ）のために構成された複数のコンポーネントキャリアのうちの第１のアップリンクコンポーネントキャリアを識別するための手段と、
前記第１のアップリンクコンポーネントキャリアが共有無線周波数スペクトル帯域上で送信されると決定するための手段と、
前記決定することに少なくとも部分的に基づいて、現在サブフレームについて、前記第１のアップリンクコンポーネントキャリアに対して電力管理動作を実行するための手段とを備える、ワイヤレス通信のための装置。
［Ｃ２５］  プロセッサと、
前記プロセッサと電子通信しているメモリとを備え、
前記プロセッサおよび前記メモリは、
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することとを行うように構成された、ワイヤレス通信のための装置。
［Ｃ２６］  前記プロセッサおよび前記メモリが、
前記第１のアップリンクコンポーネントキャリア上の送信電力を最小保証電力以上に維持することを行うように構成された、Ｃ２５に記載の装置。
［Ｃ２７］  前記最小保証電力が、前記第１のアップリンクコンポーネントキャリア上で送信されるチャネルタイプまたはアップリンク情報タイプに依存する、Ｃ２６に記載の装置。
［Ｃ２８］  前記プロセッサおよび前記メモリが、
前記現在サブフレームについて、前記第１のアップリンクコンポーネントキャリア上の送信電力を低減された電力にスケーリングすることを行うように構成された、Ｃ２５に記載の装置。
［Ｃ２９］  前記プロセッサおよび前記メモリが、
前記現在サブフレームの後にくる少なくとも１つの後続サブフレームについて、前記第１のアップリンクコンポーネントキャリア上の最大送信電力として、前記低減された電力を使用することを行うように構成された、Ｃ２８に記載の装置。
［Ｃ３０］  ワイヤレス通信のためのコンピュータ実行可能コードを記憶する非一時的コンピュータ可読媒体であって、前記コードが、
ユーザ機器（ＵＥ）のために構成された複数のコンポーネントキャリアのうちの第１のアップリンクコンポーネントキャリアを識別することと、
前記第１のアップリンクコンポーネントキャリアが共有無線周波数スペクトル帯域上で送信されると決定することと、
前記決定することに少なくとも部分的に基づいて、現在サブフレームについて、前記第１のアップリンクコンポーネントキャリアに対して電力管理動作を実行することとを行うためにプロセッサによって実行可能である、非一時的コンピュータ可読媒体。